(57)【特許請求の範囲】
【請求項１】
クレーン作業が可能な建設機械の作業機において、
エンドアタッチメントを着脱自在に装着する脱着装置を該作業機に設け、
該脱着装置にクレーン作業用の吊り作業装置をワンタッチ操作で係脱自在に係止する係止手段を固設し、
前記吊り作業装置は吊りロープと吊りフック及び該ロープと該フックを接続する接続部材で構成し、
前記脱着装置は基部部材の上側面に２枚のブラケットを立設し、該基部部材の下側面にエンドアタッチメントを着脱する固定支持板と回動支持板を設け、
前記ブラケット間に作業機のブーム並びにフロントリンクを回動自在に連結する連結ピンを相互に平行に設け、
前記係止手段は、前記連結ピンの中間で前記ブラケットの一外側側面で、該脱着装置の正面から見て該脱着装置の幅よりも外方で、該脱着装置に装着されるエンドアタッチメントの幅よりも内方の位置に配置し、
該エンドアッタッチメントを該脱着装置から離脱した状態では該吊り作業装置と接触する障害物が無く安全なクレーン作業が可能で、かつ、該エンドアッタッチメントを該脱着装置に装着した状態では、前記吊り作業装置がクレーン作業中に前記エンドアタッチメントと接触を起こし該接触部分が急激に移動をして吊り荷が揺れる等の不安定な事態が生じたり、或いは、吊り作業装置の吊りロープ、接続部材又は吊りフックが前記エンドアタッチメントに引掛かったり、絡んだりして、クレーン作業が複雑又は困難となり、安全なクレーン作業が不可能となるように構成したことを特徴とする建設機械の作業機。
【発明の詳細な説明】
【０００１】
【発明の属する技術分野】
この発明は、建設機械のアッタチメントを交換可能に装着するアタッチメント脱着装置の技術分野に属する。
【０００２】
【従来の技術】
従来から建設機械で複数種類の異なる作業をする場合は複数の専用建設機械を使用するか、或いはまた、目的に適したアタッチメントに交換して作業を行うという方法が採用されている。ところで、クレーン作業が頻繁に使用される建設作業の場合は、クレーン専用車を脇に置いて建設作業をすることも可能である。しかし、クレーン作業の使用頻度がそれほど多くない場合は作業車とクレーン車の双方を配置すると、作業車からクレーン車に乗り換えたり、又は逆に乗り換えたりする作業が必要となり、また、作業車とクレーン車を出し入れする作業が増え、作業が複雑になるという問題が生じる。そこでクレーン車と作業車の兼用車が必要になる。このような兼用車の例としては公開特許公報第平５−３２１３０２号、第平−３２１０３０５号に開示されているクレーン兼用油圧ショベルがある。
【０００３】
図４は公報に掲載されている従来装置で、エンドアタッチメントとしてバケットを装着したクレーン仕様の油圧ショベル車である。図４に示すように、アーム５１の先端にバケット５２が一方の取付穴５２ａがピン連結され、他方の取付穴５２ｂがバケットリンク５４の一端にピン連結されている。バケットリンク５４の他端とリンク５５がバケットシリンダ５３の先端にピン連結されると共に、バケットシリンダ５３の伸縮によりバケットが回動可能に設けられている。吊りフック５６を備えた吊り装置５９がバケットリンク５４の一端に設けられた取付穴５２ｂの部分に装着されている。なお、吊り荷５８はワイヤー５７によってフック５６に吊される。
【０００４】
上記従来装置は、前記した構成から明らかなように、バケット５２を装着したままフック５６を取り付けることが可能である。その際バケット５２はクレーン作業の邪魔にならないように内側に折り畳んで固定しておく。この従来装置は油圧ショベルの作業と簡単なクレーン作業が兼用でき、しかもクレーン作業をするときだけフック５６を取り付ければよいので、その作業も容易であるという特徴を有している。
【０００５】
【発明が解決しようとする課題】
しかし、クレーン作業中に誤作動によりバケット５２が作動すると危険な事故が起こる可能性もある。また、バケット以外のアタッチメントを装着した場合はそのエンドアタッチメントの重量が不明のため、吊荷の重量が正しく計算することができなくなり、クレーン作業が困難になるという不便さがある。
この発明は、上述のような背景の下になされたもので、任意のアタッチメントを装着した作業とクレーン作業とを容易に行えると共に危険な事故の発生を防止したエンドアタッチメント脱着装置を提供することを目的としている。
【０００６】
上記課題を解決する手段として本発明は以下の構成を採用している。即ち、
請求項１に記載の発明は、クレーン作業が可能な建設機械の作業機において、
エンドアタッチメントを着脱自在に装着する脱着装置を該作業機に設け、
該脱着装置にクレーン作業用の吊り作業装置をワンタッチ操作で係脱自在に係止する係止手段を固設し、
前記吊り作業装置は吊りロープと吊りフック及び該ロープと該フックを接続する接続部材で構成し、
前記脱着装置は基部部材の上側面に２枚のブラケットを立設し、該基部部材の下側面にエンドアタッチメントを着脱する固定支持板と回動支持板を設け、
前記ブラケット間に作業機のブーム並びにフロントリンクを回動自在に連結する連結ピンを相互に平行に設け、
前記係止手段は、前記連結ピンの中間で前記ブラケットの一外側側面で、該脱着装置の正面から見て該脱着装置の幅よりも外方で、該脱着装置に装着されるエンドアタッチメントの幅よりも内方の位置に配置し、
該エンドアッタッチメントを該脱着装置から離脱した状態では該吊り作業装置と接触する障害物が無く安全なクレーン作業が可能で、かつ、該エンドアッタッチメントを該脱着装置に装着した状態では、前記吊り作業装置がクレーン作業中に前記エンドアタッチメントと接触を起こし該接触部分が急激に移動をして吊り荷が揺れる等の不安定な事態が生じたり、或いは、吊り作業装置の吊りロープ、接続部材又は吊りフックが前記エンドアタッチメントに引掛かったり、絡んだりして、クレーン作業が複雑又は困難となり、安全なクレーン作業が不可能となるように構成したことを特徴としている。
【０００９】
【発明の実施形態】
図１は本発明を実施した実施形態を示す。図１（Ａ）は側面図を示し、図１（Ｂ）は正面図を示す。以下、図面を参照してこの発明の実施形態について説明する。
図１において、エンドアタッチメント脱着装置１０は、作業機のブーム１１及びフロントリンク１２にピン連結するための左右両側に設けられた２枚のブラケット１３、１３と、ブラケット１３、１３を連結接続するために基部部材１４と、基部部材１４の下側にフック１５を固設した左右２枚の回動支持板１６がピン１７により回動自在にブラケット１３に設けられ、フック１８を固設した左右２枚の固定支持板１９が基部部材１４の下側面に固設されている。
【００１０】
また、回動支持板１６のフック１５と固定支持板１９のフック１８との間の距離を伸縮するためのネジ桿２０が設けられている。フック１５とフック１８に作業機アタッチメント３０が着脱自在に取り付けられる。ブラケット１３、１３の一方の側面に吊り作業装置２２を取り付けるための係止手段としてフック２１が設けられている。フック２１には吊り作業装置２２が外れるのを防止するためにばねで付勢されたロックピン２１ａが設けられている。吊り作業装置２２は、例えば図２に示すように、吊りロープ２２ａと、接続部材２２ｂと吊りフック２２ｃとから構成される。
【００１１】
本実施形態は上記の構成であり、以下のように機能する。通常の作業（クレーン作業以外の建設作業）をするときは吊り作業装置２２をフック２１から外した状態でアタッチメントを装着して作業を行う。この作業は通常行う建設作業と同様に行う。クレーン作業を行う場合は、図２に示すように、アタッチメントを外した状態で吊り作業装置２２をフック２１に取り付ける。なお、アタッチメント脱着装置１０は取付けたままにしておく。このためアタッチメントとの交換、脱着作業は比較的容易である。吊りフック２２ｃを吊り荷５８の上下に移動させて、吊り荷５８を固定したロープ５７を吊りフック２２ｃに掛けてクレーン作業を行う。
【００１２】
図３はアタッチメント３０を装着した状態で吊り作業装置２２を取り付けた場合を示す。この図から明らかなように、この状態ではクレーン作業を正常に行うことは困難である。アタッチメント３０は脱着装置１０の下側に取り付けられ、吊り装置２２も脱着装置１０の下方にくるので、両者が干渉し合って正常なクレーン作業（建設作業も）が困難になる。
【００１３】
以上に述べた本実施形態の構成及び機能から、次のような特徴点（効果）が得られる。フック２１が脱着装置１０に設けられているので、吊り作業装置２２の取り付け、取り外し作業は容易に行えると共に、アタッチメントの脱着作業も脱着装置を取り外し、取り付けの作業が不要であるため容易に行える。従って、任意のアタッチメントにおいて両者の作業を交互に行う作業は困難な作業がないので比較的容易に行える。また、アタッチメントを装着した状態でクレーン作業を行うことが困難になるように構成されているので、過誤により両者を装着した状態でクレーン作業を行う危険は防止される。
【００１４】
以上、この発明の実施形態、実施例を図面により詳述してきたが、具体的な構成はこの実施例に限られるものではなく、この発明の要旨を逸脱しない範囲の設計の変更等があってもこの発明に含まれる。例えば、吊りフック（吊りフック係止手段）２１は必ずしもブラケット１３の一方の側面に設ける必要はなく、他の部分例えば支持板に設けてもよいし、また、フック１５、１８に着脱自在に固定する構成とした場合も含まれる。
【００１５】
【発明の効果】
以上説明したように、この発明の構成によれば、吊り作業装置の取り付け、取り外し作業は容易に行えると共に、アタッチメントの脱着作業も脱着装置を取り外し、取り付けの作業がなく容易に行えるように構成されているので、任意のアタッチメントにおいて両者の作業を交互に行う作業も容易に行えるという効果が得られる。また、アタッチメントを装着した状態でクレーン作業を行うことが困難になるように構成されているので、過誤により両者を装着した状態でクレーン作業を行う危険の発生が防止されるという効果も得られる。
【図面の簡単な説明】
【図１】  本発明の実施形態の装置を示す。
【図２】  本実施形態でクレーン作業を行う状態を示す。
【図３】  本実施形態でアタッチメントを装着した状態でクレーン作業を行う状態を示す。
【図４】  従来装置を示す。
【符号の説明】
１０          アタッチメント脱着装置
１３          ブラケット
１４          基部部材
１５、１８    フック
１６          回動支持板
１９          固定支持板
２１          係止手段
２２          吊り作業装置
２２ａ      吊りロープ
２２ｂ      接続部材
２２ｃ      吊りフック
【図１】
0004759132.tif 000002
【図２】
0004759132.tif 000003
【図３】
0004759132.tif 000004
【図４】
0004759132.tif 000005